(57)【特許請求の範囲】
【請求項１】
並行状に配置された複数個のコード部と、隣接するコード部同士を長さ方向に連結したウェブ部とを有する網状部形成部を備え、網状部形成部のウェブ部に千鳥状に切目やスリット等からなるスロットを配置形成した後、この網状部形成部において幅方向に拡張して網状部を形成したアンプリフォーム用部材を上下部分に複数のコード部が残るように切断して長方形状の第１の籠構成用網材を構成し、上部のコード部が挿通できる下方に開口した蟻溝を長手方向に形成した上部フレームを該蟻溝を前記上部の複数のコード部に共通して挿通することにより装着すると共に、下部のコード部が挿通できる上方に開口した蟻溝と、同蟻溝と直交する方向に開口する蟻溝をそれぞれ長手方向に形成した下部フレームを上方に開放する蟻溝を前記下部の複数のコード部に共通して挿通することにより装着した後、この上、下にフレームを装着した籠構成用網材の中央部分が籠の正面部となり、その左、右部分が籠の側面部となり、且つ、前記下部フレームの他方の蟻溝同士が対向するように直角に折り曲げ、別途に作成した籠の底面部となる長方形状の第２の籠構成用網材を左、右の複数のコード部を前記下部フレームの対向する蟻溝にそれぞれ挿通することにより装着したことを特徴とするショッピングカート用籠。
【発明の詳細な説明】
【技術分野】
【０００１】  この発明は、アンプリフォーム用部材を使用して高級感のあるショッピングカート用籠を製造する方法に関するものである。
【背景技術】
【０００２】
【特許文献１】  特許第２９９７８７０号公報
【発明の開示】
【発明が解決しようとする課題】
【０００３】  従来公知のショッピングカート用籠の製造方法として、特許第２９９７８７０号公報に記載されるものがあるが、これは底面と前面とを形成する多数の縦線材と、底面と左右の両側面とを形成する多数の横線材と、平面的に形成され左右にそれぞれ側端縁を有する前面補強枠と、平面的に形成されそれぞれ前端縁を有する左右一対の側面補強枠とを用い、多数の縦線材と多数の横線材とを底面を形成して格子状に重ねるとともに、多数の縦線材の前面形成部と前面補強枠とを格子状に重ね、かつ多数の横線材の左右の側面形成部と一対の側面補強枠とをそれぞれ格子状に重ねて、縦線材と横線材相互、および縦線材と前面補強枠相互、ならびに横線材と一対の側面補強枠相互の間をそれぞれ溶着するという複雑な作業工程を必要とし、量産には不適で製造単価が高価となっていた。【０００４】  本発明は、上記従来技術の問題点を解決するために、従来から面格子や門扉等の製造に使用されるアンプリフォーム用部材を使用して極めて簡単な工程でショッピングカート用籠を製造する方法を提供するものである。【０００５】  アンプリフォーム用部材とは、並行状に配置された複数個のコード部と、隣接するコード部同士を長さ方向に連結したウェブ部とを有する網状部形成部を備え、網状部形成部のウェブ部に千鳥状に切目やスリット等からなるスロットを配置形成した後、この網状部形成部において幅方向に拡張して網状部を形成したものである。
【課題を解決するための手段】
【０００６】  本発明に係るショッピングカート用籠の製造方法は、並行状に配置された複数個のコード部と、隣接するコード部同士を長さ方向に連結したウェブ部とを有する網状部形成部を備え、網状部形成部のウェブ部に千鳥状に切目やスリット等からなるスロットを配置形成した後、この網状部形成部において幅方向に拡張して網状部を形成したアンプリフォーム用部材を上下部分に複数のコード部が残るように切断して長方形状の第１の籠構成用網材を構成し、上部のコード部が挿通できる下方に開口した蟻溝を長手方向に形成した上部フレームを該蟻溝を前記上部の複数のコード部に共通して挿通することにより装着すると共に、下部のコード部が挿通できる上方に開口した蟻溝と、同蟻溝と直交する方向に開口する蟻溝をそれぞれ長手方向に形成した下部フレームを上方に開放する蟻溝を前記下部の複数のコード部に共通して挿通することにより装着した後、この上、下にフレームを装着した籠構成用網材の中央部分が籠の正面部となり、その左、右部分が籠の側面部となり、且つ、前記下部フレームの他方の蟻溝同士が対向するように直角に折り曲げ、別途に作成した籠の底面部となる長方形状の第２の籠構成用網材を左、右の複数のコード部を前記下部フレームの対向する蟻溝にそれぞれ挿通することにより装着したことを特徴とするものである。【０００７】  また、籠の正面部の縦幅よりも側面部の後方部の縦幅を広くしたい場合は側面部を上下方向に引張して網状部を拡張し、底面部となる第２の籠構成用網材を台形状にしたい場合は側面部を左右方向に引張して網状部を拡張すれば、背面部が開放した所望の形状のショッピングカート用の籠を製造できるもので、最終の形に成形した後必要に応じて別のフレームを籠の背面部に露出する部分にスポット溶接して保護するようにしてもよいし、背面の開放する部分に別の籠構成用網材を溶着すればよいものである。
【発明の作用】
【０００８】  本発明方法では、引張することにより自在に拡張できるアンプリフォーム用部材を籠構成用網材として使用し、コード部を利用してフレームを簡単に装着できるようにしてあるので、溶接個所も最終仕上げだけにすることができる。
【実施例】
【０００９】  図１は、本発明方法によって製造された籠を搭載したショッピングカートの側面図、図２は、本発明方法を実施するための第１の籠構成用網材（アンプリフォーム用部材）の平面図、図３は、第１の籠構成用網材に上、下フレームを装着する方法を示す斜視図、図４は、同上、下フレームを装着した状態の斜視図、図５は、上、下フレームを装着した第１の籠構成用網材を籠の正面部と側面部が形成されるように直角に折り曲げた状態の斜視図、図６は、底板部となる第２の籠構成用網材を装着する方法を示す斜視図、図７は、第２の籠構成用網材の装着後、形状を整えて完成した籠の斜視図、図８は、上部フレームの断面図、図９は、下部フレームの断面図である。【００１０】  図において、１は、板状のアルミニュウムの押出型材から成る並行状に配置された複数個のコード部１−１と、隣接するコード部同士を長さ方向に連結したウェブ部１−２とを有する網状部形成部１−３を備え、網状部形成部のウェブ部に千鳥状に切目やスリット等からなるスロットを配置形成した後、この網状部形成部において幅方向に拡張して網状部を形成したアンプリフォーム用部材を上下部分に複数のコード部が残るように切断して形成した長方形状の第１の籠構成用網材であって、縦幅は籠を形成するときの深さの最低の幅とし、横幅は籠を形成するときの正面部の横幅と左右側面部の横幅を足した幅に略等しい幅としてある。【００１１】  ２は、図８のように下方に開口した蟻溝２−１を長手方向に形成した上部フレーム、３は、図９のように上方に開口した蟻溝３−１と、同蟻溝と直交する方向に開口する蟻溝３−２をそれぞれ長手方向に形成した下部フレームである。【００１２】  ４は、前記第１の籠構成用網材と同じ方法で製作された籠の底板部となる長方形状の第２の籠構成用網材であって、前記第１の籠構成用網材を籠の正面部と側面部を形成するために折り曲げて平面形状が長方形としたときの横幅と縦幅に略等しくなるような平面形状としたものである。【００１３】  図中、５は、第１、第２の籠構成用網材の切断部を保護するための通常のストレート溝を有するフレームである。【００１４】  次に、本発明の籠の製造方法を図面に基づいて具体的に説明する。【００１５】  先ず、第１の籠構成用網材１の上部の複数のコード部１−１に図３のように上部フレーム２の蟻溝２−１を端部側から挿通し、第１の籠構成用網材１の下部の複数のコード部１−１に上部フレーム３の上方に開口する蟻溝３−１をそれぞれ挿通することにより第１の籠構成用網材１の上、下に上、下フレーム２、３を装着して図４の状態にする。【００１６】  次いで、この籠構成用網材１の中央部分が籠の正面部Ａとなり、その左右部分が籠の側面部Ｂ、Ｂとなり、且つ、前記下部フレーム２の他方の蟻溝２−２同士が対向するように直角に折り曲げて図５の状態にする。【００１７】  図５の状態では平面形状は長方形状になっているので、図６のように籠の底面部となる長方形状の第２の籠構成用網材４を左右の複数のコード部４−１を下部フレーム３の対向する蟻溝３−２、３−２にそれぞれ挿通することにより装着するもので、第２の籠構成用網材４の前端部分は予めウェブ部と同じ厚さに潰して正面部Ａに対応する下部フレーム３の蟻溝３−２に挿通するようにしてある。【００１８】  この状態の侭籠として使用する場合は背面側の開放した部分に別のフレーム５を溶着するかまたは別の籠構成用網材（図示せず）を溶着すればトレイ状の籠が完成するが、籠の正面部の縦幅よりも側面部の後方部の縦幅を広くしたい場合は、図６の第２の籠構成用網材４を装着した状態において上部フレーム２を上下方向に引張して網状部を拡張し、底面部となる第２の籠構成用網材４を台形状にしたい場合は、下部フレーム３を左右方向に引張して網状部を拡張すれば、図７のような形状の籠を成形することができるものである。
【発明の効果】
【００１９】  以上述べた如く、本発明に係るショッピングカート用籠の製造方法によれば、引張することにより自在に拡張できるアンプリフォーム用部材を籠構成用網材として使用し、切断したときに残ったコード部を利用してフレームを簡単に装着できるようにしてあり、溶接個所も最終仕上げだけにすることができるため、複雑な作業工程は不要となり、加工費を安価なものとするとともに量産に適することによって製造単価の低減を図ることができるだけでなく、アンプリフォーム用部材使用による下記のような効果を奏し得るものである。
▲１▼  アンプリフォーム用部材は、引張することによって自在に網状部を拡張することができるので、定型の籠本体を成形した後であっても、希望に応じて簡単に籠の形状を変えて提供することができるものである。
▲２▼  アンプリフォーム用部材は、板状のアルミニュウムの押出型材から成形されているので、籠の完成後、錆止めのための塗装等が不要で高級感のある籠を製造できるものである。
▲３▼  アンプリフォーム用部材を製造するときにウェブ部に千鳥状に形成される切目やスリット等からなるスロットの形状を変えることにより網状部の形状を変えることができ、商品の売場の雰囲気に応じた形状の網状部を有するショッピングカート用籠を提供することができるものである。
【図面の簡単な説明】
【００２０】
【図１】  本発明方法によって製造された籠を搭載したショッピングカートの側面図である。
【図２】  本発明方法を実施するための第１の籠構成用網材（アンプリフォーム用部材）の平面図である。
【図３】  第１の籠構成用網材に上、下フレームを装着する方法を示す斜視図である。
【図４】  同上、下フレームを装着した状態の斜視図である。
【図５】  上、下フレームを装着した第１の籠構成用網材を籠の正面部と側面部が形成されるように直角に折り曲げた状態の斜視図である。
【図６】  底板部となる第２の籠構成用網材を装着する方法を示す斜視図である。
【図７】  第２の籠構成用網材の装着後、形状を整えて完成した籠の斜視図である。
【図８】  上部フレームの断面図である。
【図９】  下部フレームの断面図である。
【符号の説明】
【００２１】  １          第１の籠構成用網材
２          上部フレーム
３          下部フレーム
４          第２の籠構成用網材
【要約】      （修正有）【課題】アンプリフォーム用部材を使用して極めて簡単な工程でショッピングカート用籠を製造する方法を提供すること。【解決手段】網状部形成部のウェブ部に千鳥状に切目やスリット等からなるスロットを配置形成した後、この網状部形成部において幅方向に拡張して網状部を形成したアンプリフォーム用部材を上下部分に複数のコード部が残るように切断して長方形状の第１の籠構成用網材１を構成し、上部のコード部が挿通できる下方に開口した蟻溝を長手方向に形成した上部フレーム２を該蟻溝を前記上部の複数のコード部に共通して挿通することにより装着すると共に、下部のコード部が挿通できる上方に開口した蟻溝と、同蟻溝と直交する方向に開口する蟻溝をそれぞれ長手方向に形成した下部フレーム３を上方に開放する蟻溝を前記下部の複数のコード部に共通して挿通する。【選択図】図６【図１】
0004257674.tif 000002
【図２】
0004257674.tif 000003
【図３】
0004257674.tif 000004
【図４】
0004257674.tif 000005
【図５】
0004257674.tif 000006
【図６】
0004257674.tif 000007
【図７】
0004257674.tif 000008
【図８】
0004257674.tif 000009
【図９】
0004257674.tif 000010